(57)【要約】【課題】爪を破壊することなく部品の取外しを可能とするのに好適な自動車内装部品への部品の取付け構造を提供する。【解決手段】取付け構造ＳＴでは、引掛け縁５から爪９を開口３の上方へ引き抜く力が作用した状態のときに、その力の反力によって爪９を引掛け縁５から引き離す方向の力のモーメントが生じるように設定する手段として、前記反力により支持体８がその根元付近を支点Ｐ２として撓むように構成するとともに、前記力の作用点Ｐ３から前記支点Ｐ２を見た状態において、その支点Ｐ２の位置が作用点Ｐ３の位置よりも引掛け縁５の内側に引っ込んだ位置となるように設定した。【選択図】図４
2017140861.tif 000002
【特許請求の範囲】
【請求項１】
自動車用内装部品の開口に部品を取付けるための該部品の取付け構造であって、
前記開口の内縁には、該開口の上方から見て下向きに延びた引掛け縁が設けられ、
前記部品の裏面縁部には、前記引掛け縁に対応する爪構造体が設けられ、
前記爪構造体は、前記部品の裏面に立設した一対の支柱によって梁を支持した構造の枠体と、前記梁から前記枠体の内側に向けて延びた支持体と、前記支持体の先端部に設けられるとともに、前記開口の上方から該開口内に挿入されて前記引掛け縁に引掛けられる爪と、を具備し、
前記引掛け縁から前記爪を前記開口の上方へ引き抜く力が作用した状態のときに、その力の反力によって前記爪を前記引掛け縁から引き離す方向の力のモーメントが生じるように設定する手段として、前記反力により前記支持体がその根元付近を支点として撓むように構成するとともに、前記力の作用点から前記支点を見た状態において、その支点の位置が前記作用点の位置よりも前記引掛け縁の内側に引っ込んだ位置となるように設定したこと
を特徴とする自動車用内装部品への部品の取付け構造。
【発明の詳細な説明】
【技術分野】
【０００１】
本発明は、ドアトリム等のような自動車用内装部品の開口に対して爪を利用してスイッチベース等のような部品を取付ける構造に関し、特に、爪を破壊することなく部品の取外しを可能としたものである。
【背景技術】
【０００２】
図１を参照すると、従来、自動車用内装部品１としてのドアトリムは、その室内面側（意匠面側）にスイッチ装着部２を有するとともに、このスイッチ装着部２に形成してある開口３に対してスイッチベース４を取付けている（例えば、特許文献１を参照）。
【０００３】
図５（ａ）は自動車用内装部品の開口に対してスイッチベース（部品）を取付ける場合の従来の取付け構造の説明図、同図（ｂ）は同図（ａ）中のＢＢ矢視断面図、同図（ｃ）は同図（ａ）中のＣＣ矢視断面図、同図（ｄ）は同図（ａ）中のＤＤ矢視断面図、同図（ｅ）は同図（ａ）中のＥＥ矢視断面図。
【０００４】
前記のような自動車用内装部品１（ドアトリム）の開口３に対してスイッチベース４（部品）を取付ける場合の従来の取付け構造では、図５（ａ）および図１に示したように、開口３の上方から見て下向きに延びた引掛け縁５を開口３の内縁に設け、その引掛け縁５に引掛けられる爪９をスイッチベース４側に設けている。
【０００５】
ところで、開口３から引掛け縁５までの長さ（若しくは、高さ）は、設計上一様にならず、図５（ａ）（ｂ）において符号５ａで示した引掛け縁５ａのように長くなる場合と、同図（ａ）（ｃ）において符号５ｂで示した引掛け縁５ｂのように短くなる場合がある。いずれの場合でも、引掛け縁５に対して爪９を引掛けるときは、スイッチベース４側から爪９を支持している支持体８の根元付近を支点Ｐ２として支持体８を撓ませることで、引掛け縁５から離れる方向に爪９を一時的に逃がす必要がある。
【０００６】
その際、前記のように比較的長い引掛け縁５ａでは、その引掛け縁５ａの長さに対応して図５（ｂ）のように支持体８の長さを比較的長く設けることができるので、支持体８を撓ませることで、引掛け縁５に対して爪９を引っ掛けることができる。
【０００７】
ところが、前記のように比較的短い引掛け縁５ｂでは、その引掛け縁５ａの長さに対応して支持体６の長さも図５（ｃ）のように比較的短くなるので、支持体８が殆ど撓まず、引掛け縁５に対して爪９を引っ掛けることが困難になる。
【０００８】
このため、従来、前記のように比較的短い引掛け縁５ｂの場合は、その引掛け縁５ｂに対応する図５（ａ）の爪構造体６（同図（ｄ）（ｅ）参照）をスイッチベース４側に設けるようにしている。
【０００９】
図５（ａ）の爪構造体６は、スイッチベース４の裏面に立設した一対の支柱７１、７１によって梁７２を支持した構造の枠体７と、梁７２から枠体７の内側に向けて延びた支持体８と、支持体８の先端部に設けられるとともに、開口３の上方から該開口３内に挿入されて引掛け縁５ｂに引掛けられる爪９と、を具備している。
【００１０】
そして、図５（ａ）の爪構造体６では、図５（ｄ）（ｅ）に示したように、支持体８の長さを比較的長く設定することができ、図６（ｂ）に示したように、支持体８がその根元付近を支点Ｐ２として撓むことができる。このため、前述のように比較的短い引掛け縁５ｂの場合でも、開口３の上面に配置したスイッチベース４を開口３方向に押込むことで、支持体８が撓み、爪９が引掛け縁５ｂの上を乗り越え、引掛け縁５ｂに対して爪９を引っ掛けることが可能になる。
【００１１】
しかしながら、図５（ａ）の爪構造体６によると、自動車用内装部品１の開口３からスイッチベース４を取外す作業において、引掛け縁５ｂから爪９を外すときに、爪９や支持体８を破損するおそれがある、または、爪９や支持体８を壊さないと、スイッチベース４を取外すことができないという問題点がある。
【００１２】
その理由は要するに、図５（ａ）の爪構造体６では、図７に示したように、爪９を開口３の上方に引き抜く力Ｆ２の作用点Ｐ３（具体的には爪９と引掛け縁５との当接点）から支点Ｐ２を見た状態において、作用点Ｐ３よりも支点Ｐ２の方が引掛け縁５の外側に位置する設定になっているため、引掛け縁５ｂから爪９を開口３の上方へ引き抜く際に、その爪９を引掛け縁５ｂに対して近づける方向の力のモーメントＭ２が生じることで、爪９が引掛け縁５ｂに食い込むようになってしまうためである。
【先行技術文献】
【特許文献】
【００１３】
【特許文献１】特開２００３−６３３１８号公報
【発明の概要】
【発明が解決しようとする課題】
【００１４】
本発明は、前記問題点を解決するためになされたものであり、その目的は、爪を破壊することなく部品の取外しを可能とするのに好適な自動車内装部品への部品の取付け構造を提供することにある。
【課題を解決するための手段】
【００１５】
前記目的を達成するために、本発明は、自動車用内装部品の開口に部品を取付けるための該部品の取付け構造であって、前記開口の内縁には、該開口の上方から見て下向きに延びた引掛け縁が設けられ、前記部品の裏面縁部には、前記引掛け縁に対応する爪構造体が設けられ、前記爪構造体は、前記部品の裏面に立設した一対の支柱によって梁を支持した構造の枠体と、前記梁から前記枠体の内側に向けて延びた支持体と、前記支持体の先端部に設けられるとともに、前記開口の上方から該開口内に挿入されて前記引掛け縁に引掛けられる爪と、を具備し、前記引掛け縁から前記爪を前記開口の上方へ引き抜く力が作用した状態のときに、その力の反力によって前記爪を前記引掛け縁から引き離す方向の力のモーメントが生じるように設定する手段として、前記反力により前記支持体がその根元付近を支点として撓むように構成するとともに、前記力の作用点から前記支点を見た状態において、その支点の位置が前記作用点の位置よりも前記引掛け縁の内側に引っ込んだ位置となるように設定したことを特徴とする。
【発明の効果】
【００１６】
本発明によると、前記の通り、引掛け縁から爪を開口の上方へ引き抜く力が作用した状態のときに、その力の反力によって爪を引掛け縁から引き離す方向の力のモーメントが生じるように設定する手段として、前記反力により支持体がその根元付近を支点として撓むように構成するとともに、前記力の作用点から前記支点を見た状態において、その支点の位置が前記作用点の位置よりも前記引掛け縁の内側に引っ込んだ位置となるように設定した。このため、引掛け縁から爪を開口の上方へ引き抜く際に、その爪を引掛け縁から引き離す方向の力のモーメントが生じるので、爪を破壊することなく部品の取外しを可能とするのに好適な自動車内装部品への部品の取付け構造を提供し得る。
【図面の簡単な説明】
【００１７】
【図１】本発明を適用した自動車用内装部品（ドアトリム）の模式斜視図。
【図２】図２（ａ）は図１のドアトリムに設けているスイッチベース装着部付近を同図中矢印Ａ方向から見た裏面図、図２（ｂ）は同図（ａ）中のＢＢ矢視断面図、図２（ｃ）は同図（ａ）中のＣＣ矢視断面図。
【図３】図３（ａ）（ｂ）は本発明における爪構造体の動作説明図。
【図４】本発明において部品（スイッチベース）を取外すときの力およびモーメントの説明図。
【図５】図５（ａ）は自動車用内装部品の開口に対してスイッチベース（部品）を取付ける場合の従来の取付け構造の説明図、同図（ｂ）は同図（ａ）中のＢＢ矢視断面図、同図（ｃ）は同図（ａ）中のＣＣ矢視断面図、同図（ｄ）は同図（ａ）中のＤＤ矢視断面図、同図（ｅ）は同図（ａ）中のＥＥ矢視断面図。
【図６】図６（ａ）（ｂ）は従来の取付け構造における爪構造体の動作説明図。
【図７】従来の取付け構造において部品（スイッチベース）を取外すときの力およびモーメントの説明図。
【発明を実施するための最良の形態】
【００１８】
以下、本発明を実施するための最良の形態について、添付した図面を参照しながら詳細に説明する。
【００１９】
図１は本発明を適用した自動車用内装部品（ドアトリム）の模式斜視図、図２（ａ）は図１のドアトリムに設けているスイッチベース装着部付近を同図中矢印Ａ方向から見た裏面図、図２（ｂ）は同図（ａ）中のＡＡ線矢視断面図、図２（ｃ）は同図（ａ）中のＢＢ線矢視断面図、図３（ａ）（ｂ）は本発明における爪構造体の動作説明図、図４は本発明において部品（スイッチベース）を取外すときの力およびモーメントの説明図。
【００２０】
図１の自動車用内装部品１は車両のドアパネルに取付けられるドアトリムであり、このドアトリムとしての自動車用内装部品１には、その室内面側（意匠面側）にスイッチ装着部２が設けられている。また、スイッチ装着部２の上面には開口３が形成されており、この開口３には部品としてスイッチベース４が取付けられる。なお、スイッチベース４にはパワーウインドウや電動ミラー等の各種車載機器を操作するための周知のスイッチ類（図示省略）が装着されている。
【００２１】
前記のような自動車用内装部品１の開口３に対してスイッチベース４（部品）を取付けるための該部品（スイッチベース４）の取付け構造について説明すると、その取付け構造は、図２（ａ）に示したように、開口３の内縁には、該開口３の上方から見て下向きに延びた引掛け縁５を設け、スイッチベース４の裏面縁部には、引掛け縁５に対応する爪構造体６を設けている。
【００２２】
爪構造体６は、スイッチベース４（部品）の裏面に立設した一対の支柱７１、７１によって梁７２を支持した構造の枠体７と、梁７２から枠体７の内側に向けて延びた支持体８と、支持体８の先端部に設けられるとともに、前述の開口３の上方から該開口３内に挿入されて引掛け縁５に引掛けられる爪９と、を具備している。
【００２３】
図３に示すように、自動車用内装部品１の開口３に対してスイッチベース４（部品）を取付ける際は、開口３の上面にスイッチベース４（部品）を配置し、配置したスイッチベース４を開口３方向に押込む。このような押込みによって一対の支柱７１、７１がその根元付近を支点Ｐ１として撓むことにより、爪９が引掛け縁５の表側からその上を乗り越えて裏側に移行し、引掛け縁５に対する爪９の引っ掛け、および開口３に対するスイッチベース３の取付けが完了する。
【００２４】
開口３からスイッチベース４（部品）を取外す場合は、スイッチベース４を開口３の上方へ引き上げる。この引き上げ力が引掛け縁５から爪９を開口３の上方に引き抜く力として爪９に作用する。
【００２５】
前記のように爪９を開口３の上方に引き抜く力が作用した状態のときに、その力の反力Ｆ１によって爪９を引掛け縁５から引き離す方向の力のモーメントＭ１が生じるように設定する手段として、図２（ａ）の取付け構造ＳＴでは、前記反力により支持体８がその根元付近を支点Ｐ２（同図（ｂ）参照）として撓むように構成するとともに、図４に示したように、かかる力Ｆ１の作用点Ｐ３（具体的には爪９と引掛け縁５との当接点）から支点Ｐ２を見た状態において、その支点Ｐ２の位置が作用点Ｐ３の位置よりも引掛け縁５の内側に引っ込んだ位置となるように設定している。このため、図２（ａ）の取付け構造によると、引掛け縁５から爪９を開口４の上方へ引き抜く際に、その爪９を引掛け縁５から引き離す方向の力のモーメントが生じるので、爪９を破壊することなくスイッチベース３（部品）の取外しが可能である。
【００２６】
前記のような支点Ｐ２の位置の設定を実現するための構造例として、図２（ａ）の取付け構造ＳＴでは、同図（ｃ）や図４に示したように、支柱７１、７１の先端側、すなわち梁７２を支持している側を引掛け縁５の方向に湾曲した形状としているが、このような形状に限定されることはなく、それとは別の形状によって支点Ｐ２の位置を前記のように設定してもよい。
【００２７】
本発明は、以上の実施形態に限定されるものではなく、本発明の技術的思想内で当分野において通常の知識を有する者により多くの変形が可能である。
【００２８】
以上の実施形態では、自動車用内装部品１としてのドアトリムの開口（具体的にはスイッチ装着部２の開口３）に対してスイッチベース４を部品として取付ける場合の取付け構造において本発明を適用したが、本発明は、そのような取付け構造の例に限定されることはなく、ドアトリム以外の自動車用内装部品の開口に部品を取付ける場合の取付け構造において広く適用することができる。
【符号の説明】
【００２９】
１  自動車用内装部品（ドアトリム）
２  スイッチ装着部
３  開口
４  スイッチベース
５  引掛け縁
６  爪構造体
７  枠体
７１  支柱
７２  梁
８  支持体
９  爪
Ｆ１、Ｆ２  爪を開口の上方に引き抜く力の反力
Ｍ１  爪を引掛け縁から引き離す方向の力のモーメント
Ｍ２  爪を引掛け縁に対して近づける方向の力のモーメント
Ｐ１  支柱の撓みの支点
Ｐ２  支持体の撓みの支点
Ｐ３  爪を開口の上方に引き抜く力の作用点
ＳＴ  取付け構造
【図１】
2017140861.tif 000003
【図２】
2017140861.tif 000004
【図３】
2017140861.tif 000005
【図４】
2017140861.tif 000006
【図５】
2017140861.tif 000007
【図６】
2017140861.tif 000008
【図７】
2017140861.tif 000009